(57)【特許請求の範囲】
【請求項１】
ワイヤレス通信ネットワーク（１００）内のネットワークノード（１１０，１０１）によりサービスされるセル（１１５）内のワイヤレスデバイス（１２１）の無線アクセスネットワーク（ＲＡＮ）コンテキスト情報を扱うための、前記ネットワークノード（１１０，１０１）により実行される方法であって、
前記ワイヤレスデバイス（１２１）を非アクティブ状態へ解放する際に、現在のＲＡＮコンテキスト情報を記憶するよう命令を送信することと、
前記ワイヤレスデバイス（１２１）が前記セル（１１５）において非アクティブ状態にあるときに、前記ワイヤレスデバイス（１２１）の前記ＲＡＮコンテキスト情報を記憶すること（４０１）と、
前記ワイヤレスデバイス（１２１）が前記セル（１１５）においてアクティブ状態へ復帰した場合に、前記ワイヤレスデバイス（１２１）からＲＡＮコンテキスト情報を指し示す情報であって、前記ワイヤレスデバイスのＲＡＮコンテキスト情報に基づく暗号チェックサムと前記ワイヤレスデバイス（１２１）のアイデンティティとを含む当該情報を受信すること（４０２）と、
指し示された前記ＲＡＮコンテキスト情報が、前記ネットワークノード（１１０，１０１）により過去に記憶された前記ワイヤレスデバイス（１２１）の前記ＲＡＮコンテキスト情報と共に再利用されることができるものである場合に、指し示された前記ＲＡＮコンテキスト情報を前記ワイヤレスデバイス（１２１）が前記セル（１１５）において使用すべきであることを指し示す情報を、前記ワイヤレスデバイス（１２１）へ送信すること（４０３）と、
を含む方法。
【請求項２】
前記ＲＡＮコンテキスト情報は、前記ワイヤレスデバイス（１２１）のＲＲＣプロトコル情報を含み、並びに／又は
前記ワイヤレス通信ネットワーク（１００）において前記ワイヤレスデバイス（１２１）について使用される１つ以上の識別子、
前記ＲＲＣプロトコルレイヤよりも下位レイヤにおける通信プロトコル用の前記ワイヤレスデバイス（１２１）の構成パラメータ、
前記ワイヤレスデバイス（１２１）の無線アクセスケイパビリティ情報、
前記ワイヤレスデバイス（１２１）の１つ以上の進行中の無線ベアラに関する情報、及び、
前記ワイヤレスデバイス（１２１）に関連付けられる１つ以上のセキュリティ鍵及び／若しくはシーケンス番号、のうちの１つ以上を含む、請求項１に記載の方法。
【請求項３】
記憶された前記ＲＡＮコンテキスト情報を用いて前記ワイヤレスデバイス（１２１）へのデータ送信を実行すること（４０４）、をさらに含む、請求項１又は２に記載の方法。
【請求項４】
ワイヤレス通信ネットワーク（１００）内のネットワークノード（１１０，１０１）によりサービスされるセル（１１５）内のワイヤレスデバイス（１２１）の無線アクセスネットワーク（ＲＡＮ）コンテキスト情報を扱うための、前記ネットワークノード（１１０，１０１）であって、
前記ワイヤレスデバイス（１２１）を非アクティブ状態へ解放する際に、現在のＲＡＮコンテキスト情報を記憶するよう命令を送信し、前記ワイヤレスデバイス（１２１）が前記セル（１１５）において非アクティブ状態にあるときに、前記ワイヤレスデバイス（１２１）の前記ＲＡＮコンテキスト情報を記憶し、前記ワイヤレスデバイス（１２１）が前記セル（１１５）においてアクティブ状態へ復帰した場合に、前記ワイヤレスデバイス（１２１）からＲＡＮコンテキスト情報を指し示す情報であって、前記ワイヤレスデバイスのＲＡＮコンテキスト情報に基づく暗号チェックサムと前記ワイヤレスデバイス（１２１）のアイデンティティとを含む当該情報を受信し、指し示された前記ＲＡＮコンテキスト情報が、前記ネットワークノード（１１０，１０１）により過去に記憶された前記ワイヤレスデバイス（１２１）の前記ＲＡＮコンテキスト情報と共に再利用されることができるものである場合に、指し示された前記ＲＡＮコンテキスト情報を前記ワイヤレスデバイス（１２１）が前記セル（１１５）において使用すべきであることを指し示す情報を、前記ワイヤレスデバイス（１２１）へ送信する、ように構成される、ネットワークノード（１１０，１０１）。
【請求項５】
前記ＲＡＮコンテキスト情報は、前記ワイヤレスデバイス（１２１）のＲＲＣプロトコル情報を含み、並びに／又は
前記ワイヤレス通信ネットワーク（１００）において前記ワイヤレスデバイス（１２１）について使用される１つ以上の識別子、
前記ＲＲＣプロトコルレイヤよりも下位レイヤにおける通信プロトコル用の前記ワイヤレスデバイス（１２１）の構成パラメータ、
前記ワイヤレスデバイス（１２１）の無線アクセスケイパビリティ情報、
前記ワイヤレスデバイス（１２１）の１つ以上の進行中の無線ベアラに関する情報、及び、
前記ワイヤレスデバイス（１２１）に関連付けられる１つ以上のセキュリティ鍵及び／若しくはシーケンス番号、
のうちの１つ以上を含む、請求項４に記載のネットワークノード（１１０，１０１）。
【請求項６】
記憶された前記ＲＡＮコンテキスト情報を用いて前記ワイヤレスデバイス（１２１）へのデータ送信を実行する、ようにさらに構成される、請求項４又は５に記載のネットワークノード（１１０，１０１）。
【請求項７】
プロセッサ（８１０）及びメモリ（８２０）をさらに備え、前記メモリ（８２０）は、前記プロセッサ（８１０）によって実行可能な命令を含む、請求項４から６のいずれか１項に記載のネットワークノード（１１０，１０１）。
【請求項８】
ワイヤレス通信ネットワーク（１００）内のネットワークノード（１１０，１０１）によりサービスされるセル（１１５）において無線アクセスネットワーク（ＲＡＮ）コンテキスト情報を扱うための、ワイヤレスデバイス（１１０，１０１）により実行される方法であって、
前記ワイヤレスデバイスが非アクティブ状態にあるときに前記ワイヤレスデバイスの前記ＲＡＮコンテキスト情報が前記ワイヤレスデバイスによって記憶される（５０１）ように、前記ネットワークノード（１１０，１０１）によって非アクティブ状態へ解放される際に、現在のＲＡＮコンテキスト情報を記憶するよう前記ネットワークノードからの命令を受信することと、
前記ワイヤレスデバイス（１２１）が前記セル（１１５）においてアクティブ状態へ復帰する場合に、記憶された前記ＲＡＮコンテキスト情報を指し示す情報であって、前記ワイヤレスデバイスのＲＡＮコンテキスト情報に基づく暗号チェックサムと前記ワイヤレスデバイス（１２１）のアイデンティティとを含む当該情報を前記ネットワークノード（１１０，１０１）へ送信すること（５０２）と、
前記ネットワークノード（１１０，１０１）から、前記ワイヤレスデバイス（１２１）が記憶された前記ＲＡＮコンテキスト情報を使用すべきであることを指し示す情報を受信すること（５０３）と、
を含む方法。
【請求項９】
記憶された前記ＲＡＮコンテキスト情報を用いて前記ネットワークノード（１１０，１０１）へのデータ送信を実行すること（５０４）、をさらに含む、請求項８に記載の方法。
【請求項１０】
ワイヤレス通信ネットワーク（１００）内のネットワークノード（１１０，１０１）によりサービスされるセル（１１５）において無線アクセスネットワーク（ＲＡＮ）コンテキスト情報を扱うための、ワイヤレスデバイス（１１０，１０１）であって、
前記ワイヤレスデバイスが非アクティブ状態にあるときに前記ワイヤレスデバイスの前記ＲＡＮコンテキスト情報が前記ワイヤレスデバイスによって記憶されるように、前記ネットワークノード（１１０，１０１）によって非アクティブ状態へ解放される際に、現在のＲＡＮコンテキスト情報を記憶するよう前記ネットワークノードからの命令を受信し、
前記ワイヤレスデバイス（１２１）が前記セル（１１５）においてアクティブ状態へ復帰する場合に、記憶された前記ＲＡＮコンテキスト情報を指し示す情報であって、前記ワイヤレスデバイスのＲＡＮコンテキスト情報に基づく暗号チェックサムと前記ワイヤレスデバイス（１２１）のアイデンティティとを含む当該情報を前記ネットワークノード（１１０，１０１）へ送信する、
ように構成され、
前記ワイヤレスデバイスは、前記ネットワークノード（１１０，１０１）から、前記ワイヤレスデバイス（１２１）が記憶された前記ＲＡＮコンテキスト情報を使用すべきであることを指し示す情報を受信する、
ようにさらに構成される、ワイヤレスデバイス（１１０，１０１）。
【請求項１１】
記憶された前記ＲＡＮコンテキスト情報を用いて前記ネットワークノード（１１０，１０１）へのデータ送信を実行する、ようにさらに構成される、請求項１０に記載のワイヤレスデバイス（１１０，１０１）。
【請求項１２】
プロセッサ（９１０）及びメモリ（９２０）をさらに備え、前記メモリ（９２０）は、前記プロセッサ（９１０）によって実行可能な命令を含む、請求項１０又は１１に記載のワイヤレスデバイス（１１０，１０１）。
【請求項１３】
少なくとも１つのプロセッサ（８１０，９１０）上で実行される場合に、前記少なくとも１つのプロセッサ（８１０，９１０）に、請求項１から３および８から９のいずれか１項に記載の方法を遂行させる命令、を含む、コンピュータプログラム。
【請求項１４】
請求項１３に記載の前記コンピュータプログラムを含むコンピュータ読取可能な記憶媒体。
【発明の詳細な説明】
【技術分野】
【０００１】
ここでの実施形態は、ワイヤレス通信ネットワークにおいて情報を扱うことに関する。具体的には、ここでの実施形態は、ワイヤレス通信ネットワークにおいて無線アクセスネットワーク（ＲＡＮ）コンテキスト情報を扱うためのネットワークノード、ワイヤレスデバイス及びそれらにおける方法に関する。
【背景技術】
【０００２】
典型的なワイヤレス、セルラー又は無線通信ネットワークにおいて、移動局、端末及び／又はユーザ機器（ＵＥ）としても知られるワイヤレスデバイスは、１つ以上のコアネットワークと無線アクセスネットワーク（ＲＡＮ）を介して通信する。ＲＡＮは、複数のセルへ分割される地理的エリアをカバーし、各セルは、例えば無線基地局（ＲＢＳ）である基地局、又はネットワークノードによりサービスされ、基地局は、いくつかのネットワークでは、例えば“ＮｏｄｅＢ”、“ｅＮｏｄｅＢ”又は“ｅＮＢ”とも呼ばれ得る。セルは、基地局サイトにある無線基地局により、又はアンテナと無線基地局とが共設されていないケースではアンテナサイトにより無線カバレッジが提供される地理的エリアである。１つの無線基地局が１つ以上のセルへサービスしてもよい。
【０００３】
ＵＭＴＳ（Universal  Mobile  Telecommunications  System）は、第２世代（２Ｇ）のＧＳＭ（Global  System  for  Mobile  Communications）から進化した、第３世代モバイル通信システムである。ＵＴＲＡＮ（UMTS  terrestrial  radio  access  network）は、本質的に、ユーザ機器と通信するために広帯域符号分割多重アクセス（ＷＣＤＭＡ）及び／又は高速パケットアクセス（ＨＳＰＡ）を用いるＲＡＮである。３ＧＰＰ（3rd  Generation  Partnership  Project）として知られるフォーラムにおいて、通信サプライヤは、第３世代ネットワーク及び特にＵＴＲＡＮについて標準を提案し及び合意し、並びに、強化されたデータレート及び無線キャパシティを探求している。ＲＡＮのいくつかのバージョンにおいて、例えばＵＭＴＳにおける場合のように、複数の基地局が、例えば地上回線又はマイクロ波によって無線ネットワークコントローラ（ＲＮＣ）又は基地局コントローラ（ＢＳＣ）といったコントローラノードへ接続され得る。コントローラノードは、当該コントローラノードへ接続される複数の基地局の多様なアクティビティを監督し及び協調させる。ＲＮＣは、典型的には、１つ以上のコアネットワークへ接続される。
【０００４】
ＥＰＳ（Evolved  Packet  System）についての仕様は、３ＧＰＰ（3rd  Generation  Partnership  Project）内で完了済みであり、その作業は、今後の３ＧＰＰリリースにおいて継続される。ＥＰＳは、ＬＴＥ（Long  Term  Evolution）無線アクセスとしても知られるＥ−ＵＴＲＡＮ（Evolved  Universal  Terrestrial  Radio  Access  Network）と、ＳＡＥ（System  Architecture  Evolution）コアネットワークとしても知られるＥＰＣ（Evolved  Packet  Core）とを含む。Ｅ−ＵＴＲＡＮ／ＬＴＥは、無線基地局ノードがＲＮＣではなくＥＰＣコアネットワークへ直接的に接続されるという、３ＧＰＰ無線アクセス技術の一種である。概して、Ｅ−ＵＴＲＡＮ／ＬＴＥにおいて、ＲＮＣの機能は、例えばＬＴＥにおけるｅＮｏｄｅＢといった無線基地局ノードと、コアネットワークとの間で分散される。そのため、ＥＰＳの無線アクセスネットワーク（ＲＡＮ）は、本質的には、ＲＮＣへのレポーティング無しの複数の無線基地局ノードを含むフラットなアーキテクチャを有する。
【０００５】
図１は、ワイヤレス通信ネットワークの現行の標準ＥＰＣアーキテクチャを示す。そのコンポーネント及びインタフェースの全てを含むＥＰＣアーキテクチャは、３ＧＰＰ  ＴＳ  ２３．４０１、バージョン１２．０．０においてさらに説明され定義されている。現行の標準Ｅ−ＵＴＲＡＮアーキテクチャは、３ＧＰＰ  ＴＳ  ３６．３００、バージョン１２．０．０においてさらに説明され定義されている。
【０００６】
図２は、Ｅ−ＵＴＲＡＮのための無線インタフェースのユーザプレーン及び制御プレーンプロトコルを示す。Ｅ−ＵＴＲＡＮ無線インタフェースのユーザプレーン及び制御プレーンプロトコルは、以下のプロトコルレイヤ及び主な機能性からなる。
【０００７】
＜無線リソース制御（ＲＲＣ）（制御プレーンのみ）＞
制御プレーン用の主な機能は、非アクセス層（ＮＡＳ）及びアクセス層（ＡＳ）双方のためのシステム情報のブロードキャスト、ページング、無線リソース制御（ＲＲＣ）接続ハンドリング、ＵＥのための一時識別子の割り当て、ＲＲＣ接続のためのシグナリング無線ベアラの構成、無線ベアラのハンドリング、サービス品質（ＱｏＳ）管理機能、鍵管理を含むセキュリティ機能、モビリティ機能（ＵＥ測定レポーティング及びレポーティング制御、ハンドオーバ、ＵＥセル選択及び再選択、並びにセル選択及び再選択の制御を含む）、並びにＵＥへの／ＵＥからのＮＡＳダイレクトメッセージ移送である。
【０００８】
＜パケットデータコンバージェンスプロトコル（ＰＤＣＰ）＞
ＵＥ用の各無線ベアラにつき１つのＰＤＣＰエンティティが存在する。ＰＤＣＰは、制御プレーン、即ちＲＲＣ、及びユーザプレーン、即ちＧＴＰ−Ｕシグナリングを介して受信されるユーザデータ、の双方について使用される。制御プレーンのための主な機能は、暗号化／暗号解読及び完全性保証である。ユーザプレーンのための主な機能は、暗号化／暗号解読、ロバストヘッダ圧縮（ＲＯＨＣ）を使用したヘッダ圧縮及び復元、並びに、シーケンス内（in-sequence）デリバリ、冗長検出及び再送である。
【０００９】
＜無線リンク制御（ＲＬＣ）＞
ＲＬＣレイヤは、ＰＤＣＰレイヤにサービスを提供し、ＵＥ用の各無線ベアラにつき１つのＲＬＣエンティティが存在する。制御プレーン及びユーザプレーン双方のための主な機能は、セグメント化／連結、再送ハンドリング、冗長検出、及び上位レイヤへのシーケンス内デリバリである。
【００１０】
＜メディアアクセス制御（ＭＡＣ）＞
ＭＡＣは、論理チャネルの形式でＲＬＣレイヤにサービスを提供し、それらの論理チャネルとトランスポートチャネルとの間のマッピングを行う。主な機能は、アップリンク及びダウンリンクのスケジューリング、スケジューリング情報レポーティング、ＨＡＲＱ（Hybrid  Automatic  Repeat  reQuest）再送、及びキャリアアグリゲーションのための複数のコンポーネントキャリアにわたるデータの多重化／逆多重化である。
【００１１】
＜物理レイヤ（ＰＨＹ）＞
ＰＨＹは、トランスポートチャネルの形式でＭＡＣレイヤにサービスを提供し、物理チャネルへのトランスポートチャネルのマッピングを扱う。
【００１２】
これらのプロトコルレイヤ及びそれらの機能性のうちの１つ以上に関する情報が、以下で無線アクセスネットワーク（ＲＡＮ）コンテキスト情報と呼ばれる。言い換えると、具体的なワイヤレスデバイスのためのこれらのプロトコルレイヤの構成が、ワイヤレス通信ネットワークにおけるその具体的なワイヤレスデバイスのＲＡＮコンテキスト情報となる。これらのプロトコルレイヤの構成は、典型的には、ＲＲＣレイヤ上においてＲＲＣ構成メッセージを介して行われる。構成に固有の情報の一例は、ワイヤレスデバイスのための様々なプロトコルレイヤ上の様々な識別子である。一方、ＲＡＮコンテキスト情報は、例えば、ワイヤレスデバイスの無線アクセスケイパビリティ、ワイヤレスデバイスの過去のモビリティ又はトラフィック履歴などといった、追加情報をさらに含み得ることにも留意すべきである。
【００１３】
ネットワークノード、ｅＮＢの上述した機能性は、様々なやり方で配備され得る。一例では、全てのプロトコルレイヤ及び関連する機能性が、アンテナを含む同一の物理ノードにお配備される。この一例が、いわゆるピコ又はフェムトｅＮｏｄｅＢである。別の例が、いわゆるメインリモート分離である。この場合、ｅＮｏｄｅＢは、メインユニットとリモートユニットに分割される。メインユニットはデジタルユニット（ＤＵ）とも呼ばれ、リモートユニットはリモート無線ユニット（ＲＲＵ）とも呼ばれる。この場合、メインユニットは、ＰＨＹレイヤの下位部分を除いて全てのプロトコルレイヤを含み、ＰＨＹレイヤの下位部分は、代わりにリモートユニットに置かれる。さらなる例では、リモートユニット及びアンテナは共設される。これは、アンテナ統合型無線（ＡＩＲ）システムと呼ばれ得る。
【発明の概要】
【発明が解決しようとする課題】
【００１４】
ここでの実施形態の目的は、ワイヤレス通信ネットワークにおけるシグナリングを改善することである。
【課題を解決するための手段】
【００１５】
ここでの実施形態の第１の態様によれば、目的は、ワイヤレス通信ネットワーク内のネットワークノードによりサービスされるセル内のワイヤレスデバイスの無線アクセスネットワーク（ＲＡＮ）コンテキスト情報を扱うための、ネットワークノードにより実行される方法によって達成される。ネットワークノードは、ワイヤレスデバイスがセルにおいてもはや接続済み状態にない場合に、ワイヤレスデバイスのＲＡＮコンテキスト情報を記憶する。また、ネットワークノードは、ワイヤレスデバイスがセルにおいて接続済み状態へ復帰した場合に、ワイヤレスデバイスからＲＡＮコンテキスト情報を指し示す情報を受信する。さらに、ネットワークノードは、指し示されたＲＡＮコンテキスト情報が、ネットワークノードにより過去に記憶されたワイヤレスデバイスのＲＡＮコンテキスト情報と共に再利用されることができるものである場合に、指し示されたＲＡＮコンテキスト情報をワイヤレスデバイスがセルにおいて使用すべきであることを指し示す情報を、ワイヤレスデバイスへ送信する。
【００１６】
ここでの実施形態の第２の態様によれば、目的は、ワイヤレス通信ネットワーク内のネットワークノードによりサービスされるセル内のワイヤレスデバイスのＲＡＮコンテキスト情報を扱うための、ネットワークノードによって達成される。ネットワークノードは、ワイヤレスデバイスがセルにおいてもはや接続済み状態にない場合に、ワイヤレスデバイスのＲＡＮコンテキスト情報を記憶する、ように構成される。ネットワークノードは、また、ワイヤレスデバイスがセルにおいて接続済み状態へ復帰した場合に、ワイヤレスデバイスからＲＡＮコンテキスト情報を指し示す情報を受信する、ように構成される。ネットワークノードは、指し示されたＲＡＮコンテキスト情報が、ネットワークノードにより以前に記憶されたワイヤレスデバイスのＲＡＮコンテキスト情報と共に再利用されることができるものである場合に、指し示されたＲＡＮコンテキスト情報をワイヤレスデバイスがセルにおいて使用すべきであることを指し示す情報を、ワイヤレスデバイスへ送信する、ようにさらに構成される。
【００１７】
ここでの実施形態の第３の態様によれば、目的は、ワイヤレス通信ネットワーク内のネットワークノードによりサービスされるセルにおいてＲＡＮコンテキスト情報を扱うための、ワイヤレスデバイスにより実行される方法によって達成される。ワイヤレスデバイスは、セルにおいてもはや接続済み状態にない場合に、ワイヤレスデバイスのＲＡＮコンテキスト情報を記憶する。また、ワイヤレスデバイスがセルにおいて接続済み状態へ復帰する場合に、ワイヤレスデバイスは、記憶されたＲＡＮコンテキスト情報を指し示す情報をネットワークノードへ送信する。
【００１８】
ここでの実施形態の第４の態様によれば、目的は、ワイヤレス通信ネットワーク内のネットワークノードによりサービスされるセルにおいてＲＡＮコンテキスト情報を扱うための、ワイヤレスデバイスによって達成される。ワイヤレスデバイスは、セルにおいてもはや接続済み状態にない場合に、ワイヤレスデバイスのＲＡＮコンテキスト情報を記憶する、ように構成される。また、ワイヤレスデバイスがセルにおいて接続済み状態へ復帰する場合に、ワイヤレスデバイスは、記憶されたＲＡＮコンテキスト情報を指し示す情報をネットワークノードへ送信する、ように構成される。
【００１９】
ここでの実施形態の第５の態様によれば、目的は、少なくとも１つのプロセッサ上で実行される場合に、少なくとも１つのプロセッサに上述した方法を遂行させる命令、を含むコンピュータプログラムによって達成される。ここでの実施形態の第６の態様によれば、目的は、上述したコンピュータプログラムを含む担体によって達成され、担体は、電子信号、光信号、無線信号、又はコンピュータ読取可能な記憶媒体のうちの１つである。
【発明の効果】
【００２０】
ワイヤレスデバイスがセルにおいてもはや接続済み状態にない場合に、ワイヤレスデバイスのＲＡＮコンテキスト情報を記憶することによって、ワイヤレスデバイスがセルにおいて接続済み状態へ復帰した場合に、ネットワークノードは、ワイヤレスデバイスからＲＡＮコンテキスト情報を指し示す情報を受信後、ワイヤレスデバイスが指し示されたＲＡＮコンテキスト情報をセルにおいて再利用すべきであることを指し示す情報を送信することができる。これは、ワイヤレスデバイスからの指し示されたＲＡＮコンテキスト情報が、ネットワークノードにより過去に記憶されたワイヤレスデバイスのＲＡＮコンテキスト情報と共に再利用されることができるものである場合に、ネットワークノードによって実行され得る。
【００２１】
これは、半固定的（semi-stationary）なワイヤレスデバイス、即ち、１つのセル内で相異なる状態の間を行き来して切り替えるか、又はアクティブ状態の相異なるセルの間で切り替え得るワイヤレスデバイスについて、ワイヤレスデバイスがセル内での状態を変更し、又はセルを変更する度に、ＲＡＮコンテキスト情報が再確立される必要がないことを意味する。これは、ワイヤレス通信ネットワークにおいて過剰なシグナリングが回避され得ることを意味する。したがって、ワイヤレス通信ネットワークにおけるシグナリングが改善される。
【図面の簡単な説明】
【００２２】
実施形態の特徴及び利点が、添付図面を参照した以下のそれらの例示的な実施形態の詳細な説明によって、当業者には容易に明らかとなるであろう。
【００２３】
【図１】ワイヤレス通信ネットワークの標準ＥＰＣアーキテクチャを示す概略ブロック図である。
【図２】ワイヤレス通信ネットワークにおける標準Ｅ−ＵＴＲＡＮ無線インタフェースのユーザプレーン及び制御プレーンプロトコルアーキテクチャを示す別の概略ブロック図である。
【図３】ワイヤレス通信ネットワークにおけるネットワークノード及びワイヤレスデバイスの実施形態を示す概略ブロック図である。
【図４】ネットワークノードにおける方法の実施形態を表すフローチャートである。
【図５】ワイヤレスデバイスにおける方法の実施形態を表すフローチャートである。
【図６】ネットワークノードにおける方法及びワイヤレスデバイスにおける方法の実施形態を表すシグナリング図である。
【図７】ネットワークノードにおける方法及びワイヤレスデバイスにおける方法の実施形態を表す別のシグナリング図である。
【図８】ネットワークノードの実施形態を表す概略ブロック図である。
【図９】ワイヤレスデバイスの実施形態を表す概略ブロック図である。
【発明を実施するための形態】
【００２４】
図面は、明確化のために概略的かつ簡略化されたものであり、それらは、ここで提示する実施形態の理解に必須の詳細のみを示しており、他の詳細については、除外されている。全体を通して、一致し又は対応する部分又はステップに同一の参照番号が使用されている。
【００２５】
図３は、ここでの実施形態が実装され得るワイヤレス通信ネットワーク１００の例を示している。ワイヤレス通信ネットワーク１００は、図１にはＬＴＥネットワークとして示されているが、ＬＴＥ−Ａｄｖａｎｃｅｄ、広帯域符号分割多重アクセス（ＷＣＤＭＡ）、ＧＳＭ／ＥＤＧＥ（Global  System  for  Mobile  communications／Enhanced  Data  rate  for  GSM  Evolution）、ＷｉＭａｘ（Worldwide  Interoperability  for  Microwave  Access）、ＵＭＢ（Ultra  Mobile  Broadband）若しくはＧＳＭネットワーク、又は将来の５Ｇワイヤレス通信ネットワークなどの他のセルラーネットワーク若しくはシステムといった、任意のワイヤレス又は無線通信システムであってもよい。
【００２６】
ワイヤレス通信ネットワーク１００は、第１のネットワークノード１１０及び第２のネットワークノード１１１を含む。第１のネットワークノード１１０及び第２のネットワークノード１１１は、例えば、ｅＮＢ、ｅＮｏｄｅＢ、若しくはＨｏｍｅ  ＮｏｄｅＢ、Ｈｏｍｅ  ｅＮｏｄｅ  Ｂ、フェムト基地局（ＢＳ）、ピコＢＳ、又はワイヤレス通信ネットワーク１００においてワイヤレスデバイスにサービスすることが可能な任意の他のネットワークユニットであってもよい。第１のネットワークノード１１０及び第２のネットワークノード１１１は、また、例えば、無線基地局、基地局コントローラ、ネットワークコントローラ、中継ノード、リピータ、アクセスポイント、無線アクセスポイント、ワイヤレスアクセスポイント、ＵＤＮ／ＳＤＮ（Ultra-Dense  Network／Software-Defined  Network）無線アクセスノード、リモート無線ユニット（ＲＲＵ）、又はリモート無線ヘッド（ＲＲＨ）であってもよい。さらに、第１のネットワークノード１１０及び第２のネットワークノード１１１はそれぞれ、そのカバレッジ範囲内に位置するワイヤレスデバイスとのワイヤレス無線通信のための複数のアンテナを含む。即ち、第１のネットワークノード１１０及び第２のネットワークノード１１１は、それぞれのアンテナの１つ以上を使用してそれぞれのセル１１５、１１６内に無線カバレッジを提供し得る。
【００２７】
第１のネットワークノード１１０及び第２のネットワークノード１１１は、例えば、Ｌ２シグナリングを介して互いに直接通信し、及び／又はコアネットワークノード１０１を介して通信するように構成されてもよい。コアネットワークノード１０１は、ここで第１の及び第２のネットワークノード１１０の実施形態において説明されるいくつかの、又は全てのアクションを実行することが可能である。したがって、コアネットワークノード１０１は、セル１１５、１１６内のワイヤレスデバイスにサービスするとも言える。コアネットワークノード１０１は、例えば、モビリティ管理エンティティ（ＭＭＥ）、自己組織化ネットワーク（ＳＯＮ）ノード、運用保守（Ｏ＆Ｍ）ノード、オペレーションサポートシステム（ＯＳＳ）ノードなどであってもよい。また、コアネットワークノード１０１は、集中型無線リソースコントローラであってもよく、この場合、いくつかの実施形態では、そのような中央無線リソースコントローラがＲＲＣ及びＰＤＣＰプロトコルレイヤを扱うように定義されてもよく、一方、ＰＨＹ、ＭＡＣ、及びＲＬＣといった従来のＬＴＥプロトコルレイヤは、第１のネットワークノード１１０及び第２のネットワークノード１１１によって扱われる。
【００２８】
図３の例では、ワイヤレスデバイス１２１は、ワイヤレス通信ネットワーク１００においてセル１１５内に位置する。ワイヤレスデバイス１２１は、例えば、モバイル電話、セルラー電話、携帯情報端末（ＰＤＡ）、スマートフォン、タブレット、ワイヤレス通信ケイパビリティを有するセンサ若しくはアクチュエータ、ワイヤレスデバイスに接続され、若しくはワイヤレスデバイスを備えたセンサ若しくはアクチュエータ、マシンデバイス（ＭＤ）、マシン型通信（ＭＴＣ）デバイス、マシンツーマシン（Ｍ２Ｍ）通信デバイス、カスタマ構内機器（ＣＰＥ）、ラップトップ搭載機器（ＬＭＥ）、ラップトップ組み込み機器（ＬＥＥ）などといった、任意の種類のワイヤレスデバイスであってもよい。
【００２９】
さらに、以下の実施形態は、図３のシナリオを参照して説明されるが、このシナリオは、ここでの実施形態に限定するものとして解釈されるべきではなく、例示のために作られた単なる一例として解釈されるべきである。
【００３０】
図３の例で示されるシナリオでは、ワイヤレスデバイス１２１は、第１のネットワークノード１１０によってサービスされているセル１１５内において、最初はアクティブ状態、例えば、ＲＲＣ＿ＣＯＮＮＥＣＴＥＤ状態といった接続済み状態にある。これは、第１のネットワークノード１１０が、ワイヤレス通信ネットワーク１００においてセル１１５内のワイヤレスデバイス１２１についてのＲＡＮコンテキスト情報を確立していることを意味する。このＲＡＮコンテキスト情報は、ワイヤレス通信ネットワーク１００においてセル１１５内で確立された無線接続１３１上で通信する際に、第１のネットワークノード１１０及びワイヤレスデバイス１２１によって使用される。
【００３１】
第１の二重破線矢印１４１で示されるように、ワイヤレスデバイス１２１は、次いで、セル再選択を実行してもよく、又は第２のネットワークノード１１１によってサービスされるようにセル１１６へハンドオーバされてもよい。他のシナリオによれば、ワイヤレスデバイス１２１は、任意選択で、セル１１５内に残ってもよいが、非アクティブ状態、即ち、非接続状態若しくはアイドル状態に入る。つまり、例えば、セル１１５の範囲内で無線カバレッジが劣悪になること、又はセル１１５の外側に移動することに起因して、無線リンク障害（ＲＬＦ）を経験する。上述したシナリオのいずれかの場合、これによって、従来は、第１のネットワークノード１１０及びワイヤレスデバイス１２１の双方が、セル１１５内で確立されたＲＡＮコンテキスト情報を破棄し又は削除することとなる。
【００３２】
一方、いくつかの場合、第２の二重破線矢印１４２で示されるように、ワイヤレスデバイス１２１は、その後すぐに第１のネットワークノード１１１によって再びサービスされるようにセル１１５へ戻りセル再選択を実行してもよく、又はハンドオーバされてもよい。他のシナリオでは、ワイヤレスデバイス１２１は、その後すぐにセル１１５内でアクティブ状態、例えばＲＲＣ＿ＣＯＮＮＥＣＴＥＤ状態といった接続済み状態に戻るか、又はＲＬＦの後で第１のネットワークノード１１０へ再接続してもよい。これは、第１のネットワークノード１１０が、ワイヤレス通信ネットワーク１００においてセル１１５内のワイヤレスデバイス１２１についてのＲＡＮコンテキスト情報を再確立しなければならないことを意味する。
【００３３】
このシナリオは、ワイヤレスデバイス１２１などの半固定的なワイヤレスデバイスが、ワイヤレス通信ネットワーク１００においてセル１１５内で相異なる状態の間を行き来して切り替え、又はアクティブ状態の第１のセル１１５と第２のセル１１６との間で切り替え得る方法の例を示す。従来では、このような半固定的なワイヤレスデバイスのためにＲＡＮコンテキスト情報を立て続けに再確立しなければならない場合、これは、ワイヤレス通信ネットワーク１００において過剰な量のシグナリングを引き起こす原因となることがある。
【００３４】
ここで説明される実施形態によれば、この問題は、ワイヤレスデバイスがセルにおいてもはや接続済み状態にない場合に、ワイヤレスデバイスのＲＡＮコンテキスト情報を記憶することと、ワイヤレスデバイスがセルにおいて接続済み状態へ復帰した場合に、ワイヤレスデバイスからＲＡＮコンテキスト情報を指し示す情報を受信することと、ワイヤレスデバイスからの指し示されたＲＡＮコンテキスト情報が、過去に記憶されたワイヤレスデバイスのＲＡＮコンテキスト情報と共に再利用されることができるものである場合に、指し示されたＲＡＮコンテキスト情報をワイヤレスデバイスがセルにおいて使用すべきであることを指し示す情報を送信することと、によって対処される。
【００３５】
言い換えると、ここでの実施形態の検討の一部として、いくつかのネットワーク配備において、多数のワイヤレスデバイス、というよりもむしろワイヤレスデバイスのユーザが、長期間半固定的であり、そのセル内でアクティブ状態と非アクティブ状態との間で行き来していることが見出された。従来では、この種のシナリオ又はトラフィックパターンは、ネットワークにより、ワイヤレスデバイスをセル内でアクティブ状態、例えばＲＲＣ＿ＣＯＮＮＥＣＴＥＤ状態といった接続済み状態に通常よりも長期間留めておくこと、又はワイヤレスデバイスがセル内で非アクティブになるとすぐにワイヤレスデバイスを非アクティブ状態、例えば、非接続状態若しくはアイドル状態へ解放することのいずれかによって、扱われる。ここで、ワイヤレスデバイスについて、いつどの状態を使用するかにおいてトレードオフが存在し得る。アクティブ状態、例えばＲＲＣ＿ＣＯＮＮＥＣＴＥＤ状態といった接続済み状態は、例えば、比較的動かないが、アクティブ期間と非アクティブ期間との間で頻繁に行き来するワイヤレスデバイスには好ましい可能性がある。これは、ワイヤレスデバイスがセル内でアクティブ状態と非アクティブ状態との間で行き来することから生じるシグナリングには、あまりコストがかからない一方、そのような固定的なワイヤレスデバイスについてのハンドオーバシグナリングといったモビリティシグナリングには、コストがかかるためである。それとは逆に、非アクティブ状態、例えば、非接続状態又はアイドル状態は、例えば、よく動き回るが、より長いアクティブ期間又は非アクティブ期間を有するワイヤレスデバイスには好ましい可能性がある。この場合、モビリティシグナリングは、静止したワイヤレスデバイスがアクティブ状態と非アクティブ状態との間で行き来することから生じるシグナリングよりもコストがかからない可能性がある。
【００３６】
ここで説明される実施形態によれば、同じセル内でアクティブ期間と非アクティブ期間との間で行き来する、又はアクティブ状態のセル間で行き来する、これらの種類のワイヤレスデバイスに必要なシグナリングの量は、減少する。これは、ワイヤレス通信ネットワーク１００において、これらの種類のワイヤレスデバイスについての過剰なシグナリングが回避され得ることも意味する。したがって、ワイヤレス通信ネットワーク１００におけるシグナリングが改善される。
【００３７】
ワイヤレス通信ネットワーク１００内のネットワークノード１１０、１０１によりサービスされるセル１１５内のワイヤレスデバイス１２１の無線アクセスネットワーク（ＲＡＮ）コンテキスト情報を扱うための、ネットワークノード１１０、１０１により実行される方法の実施形態の例が、図４に表されるフローチャートを参照してここで説明される。図４は、ネットワークノード１１０、１０１によって行われ得るアクション又は動作の例を示している。方法は、以下のアクションを含み得る。
【００３８】
＜アクション４０１＞
ワイヤレスデバイス１２１がセル１１５においてもはや接続済み状態にない場合に、ネットワークノード１１０、１０１は、ワイヤレスデバイス１２１のＲＡＮコンテキスト情報を記憶する。これは、いつワイヤレスデバイス１２１がセル１１５においてもはや接続済み状態でなくなるのかをネットワークノード１１０、１０１が検出し又は判定し、それに応答してワイヤレスデバイス１２１に関連付けられるＲＡＮコンテキスト情報を記憶又は保存し得ることを意味する。言い換えると、ワイヤレスデバイス１２１がアイドルモードに入るか、又は例えばセル１１６など別のセルに移動する場合に、ネットワークノード１１０、１０１が、セル１１５内のワイヤレスデバイス１２１の最後に使用された無線コンテキストをキャッシュしてもよい。
【００３９】
ネットワークノード１１０、１０１は、ワイヤレスデバイス１２１のＲＡＮコンテキスト情報を、ネットワークノード１１０、１０１又はワイヤレス通信ネットワーク１００内のアクセス可能なコアネットワークノード若しくはサイトにおける利用可能なメモリに記憶してもよい。また、ワイヤレスデバイス１２１のＲＡＮコンテキスト情報を記憶する場合、ネットワークノード１１０、１０１は、ワイヤレスデバイス１２１のＲＡＮコンテキスト情報を、ワイヤレスデバイス１２１のＲＡＮコンテキスト情報を指し示す何らかの情報又は識別子と関連付けてもよい。言い換えると、ＲＡＮコンテキスト情報を指し示す情報は、ネットワークノード１１０、１０１が、ワイヤレスデバイス１２１の記憶されたＲＡＮコンテキスト情報の場所を特定し又は見つけ出す目的で後に使用し得る、ワイヤレスデバイス１２１のＲＡＮコンテキスト識別子を含んでもよい。
【００４０】
いくつかの実施形態では、ＲＡＮコンテキスト情報は、ワイヤレスデバイス１２１の無線リソース制御（ＲＲＣ）プロトコル情報を含んでもよい。いくつかの実施形態では、ＲＡＮコンテキスト情報は、ワイヤレス通信ネットワーク１００内のワイヤレスデバイス１２１のために使用される１つ以上の識別子を含んでもよい。そのような識別子の例は、セル無線ネットワーク一時識別子（Ｃ−ＲＮＴＩ）、ＳＡＥ一時モバイル加入者識別子（Ｓ−ＴＭＳＩ）、グローバル一意一時ＵＥ識別子（ＧＵＴＩ）などを含んでもよい。いくつかの実施形態では、ＲＡＮコンテキスト情報は、ＲＲＣプロトコルレイヤよりも下位レイヤにおける通信プロトコル用のワイヤレスデバイス１２１の構成パラメータを含んでもよい。そのような構成パラメータの例は、ＲＬＣ構成パラメータ、例えばＲＬＣ−ＡＭ若しくはＲＬＣ−ＵＭ、又はリソースブロック（ＲＢ）と論理チャネル間のマッピングパラメータを含んでもよい。いくつかの実施形態では、ＲＡＮコンテキスト情報は、ワイヤレスデバイス１２１の無線アクセスケイパビリティ情報を含んでもよい。そのような無線アクセスケイパビリティの例は、例えば、ワイヤレスデバイス１２１がサポートするリリース、ワイヤレスデバイス１２１が属するワイヤレスデバイスカテゴリ、ワイヤレスデバイス１２１がサポートする周波数帯及びＲＡＴといった、標準３ＧＰＰ３６．３３１“ＵＥ−ＥＵＴＲＡケイパビリティ”において定義されるケイパビリティのうちのいくつか又は全てを含んでもよい。いくつかの実施形態では、ＲＡＮコンテキスト情報は、ワイヤレスデバイス１２１の１つ以上の進行中の無線ベアラに関する情報を含んでもよい。いくつかの実施形態では、ＲＡＮコンテキスト情報は、ワイヤレスデバイス１２１に関連付けられる１つ以上のセキュリティ鍵及び／又はシーケンス番号を含んでもよい。そのようなセキュリティ鍵の例は、ＫｅＮＢ、ＫＲＲＣｉｎｔ、ＫＲＲＣｅｎｃ、ａＫＵＰｅｎｃなどであってもよい。そのようなシーケンス番号の例は、ＰＤＣＰシーケンス番号、ＣＯＵＮＴ番号などであってもよい。
【００４１】
いくつかの実施形態では、ネットワークノード１１０、１０１が、ワイヤレスデバイス１２１をセル１１５において接続済み状態からアイドル状態へ解放する場合に、ネットワークノード１１０、１０１は、ワイヤレスデバイス１２１がセル１１５においてもはや接続済み状態にないことを検出し又は判定してもよい。代替的に、ネットワークノード１１０、１０１が、ワイヤレス通信ネットワーク１００内の他のセル１１６への、ワイヤレスデバイス１２１のハンドオーバを実行する場合に、ネットワークノード１１０、１０１は、ワイヤレスデバイス１２１がセル１１５においてもはや接続済み状態にないことを検出し又は判定してもよい。別の代替によれば、ネットワークノード１１０、１０１が、ワイヤレス通信ネットワーク１００内の他のセル１１６においてサービスされるようにワイヤレスデバイス１２１を解放する場合に、ネットワークノード１１０、１０１は、ワイヤレスデバイス１２１がセル１１５においてもはや接続済み状態にないことを検出し又は判定してもよい。さらに別の代替によれば、ネットワークノード１１０、１０１が、ワイヤレスデバイス１２１に関連付けられる無線リンク障害を検出する場合に、ネットワークノード１１０、１０１が、ワイヤレスデバイス１２１がセル１１５においてもはや接続済み状態にないことを検出し又は判定してもよい。これは、ネットワークノード１１０、１０１が、ワイヤレスデバイス１２１がセル１１５内で相異なる状態の間を相互に行き来し、又はアクティブ状態の第１のセル１１５と第２のセル１１６との間で行き来し得る、多くの異なるシナリオを扱うことが可能であることを意味する。
【００４２】
＜アクション４０２＞
次いで、ワイヤレスデバイス１２１がセル１１５において接続済み状態へ復帰した場合に、第１のネットワークノード１１０は、ワイヤレスデバイス１２１からＲＡＮコンテキスト情報を指し示す情報を受信する。これは、ワイヤレスデバイス１２１がセル１１５においていつ接続済み状態へ復帰したかをネットワークノード１１０、１０１が検出し又は判定し、それに応答してワイヤレスデバイス１２１からＲＡＮコンテキスト情報を指し示す情報を受信し得ることを意味する。
【００４３】
いくつかの実施形態では、ワイヤレスデバイス１２１がセル１１５においてアイドル状態から接続済み状態へ移動したことをネットワークノード１１０、１０１が検出する場合に、ネットワークノード１１０、１０１は、ワイヤレスデバイス１２１がセル１１５において接続済み状態に復帰したことを検出し又は判定してもよい。代替的に、ワイヤレス通信ネットワーク１００内の他のセル１１６からのハンドオーバでセル１１５においてネットワークノード１１０、１０１がワイヤレスデバイス１２１を受け付ける場合に、ネットワークノード１１０、１０１は、ワイヤレスデバイス１２１がセル１１５において接続済み状態に復帰したことを検出し又は判定してもよい。別の代替によれば、ワイヤレスデバイス１２１の無線リソース構成（ＲＲＣ）接続再確立の一部としてセル１１５においてネットワークノード１１０、１０１がワイヤレスデバイス１２１を受け付ける場合に、ネットワークノード１１０、１０１は、ワイヤレスデバイス１２１がセル１１５において接続済み状態に復帰したことを検出し又は判定してもよい。アクション４０１と同様に、これは、ネットワークノード１１０、１０１が、ワイヤレスデバイス１２１がセル１１５内で相異なる状態の間を相互に行き来し、又はアクティブ状態の第１のセル１１５と第２のセル１１６との間で行き来し得る、多くの異なるシナリオを扱うことが可能であることを意味する。
【００４４】
言い換えると、ワイヤレスデバイス１２１は、セル１１５においてアイドル状態から接続済み状態への移行を実行することによって、又はセル１１５へのインカミングハンドオーバ若しくはセル１１５へのセル再選択を実行することによって、セル１１５へ復帰してもよい。典型的には、セル１１５へ復帰する場合、ワイヤレスデバイス１２１又はワイヤレス通信ネットワーク１００内のネットワークノード１０１、１１１が、セル１１５にサービスしているネットワークノード１１０、１０１へメッセージを送信する。このメッセージがワイヤレスデバイス１２１のＲＡＮコンテキスト情報を指し示す情報を含んでもよい。
【００４５】
＜アクション４０３＞
アクション４０２において、ＲＡＮコンテキスト情報を指し示す情報を受信した後、ネットワークノード１１０、１０１は、指し示されたＲＡＮコンテキスト情報が、ネットワークノード１１０、１０１により過去に記憶されたワイヤレスデバイス１２１のＲＡＮコンテキスト情報と共に再利用されることができるものである場合に、指し示されたＲＡＮコンテキスト情報をワイヤレスデバイス１２１がセル１１５において使用すべきであることを指し示す情報を、ワイヤレスデバイス１２１へ送信する。
【００４６】
例えば、ネットワークノード１１０、１０１は、例えば、ワイヤレスデバイス１２１によって指し示されたＲＡＮコンテキスト情報に基づいて、例えば、ルックアップ又は探索を実行して、記憶されたＲＡＮコンテキスト情報の場所の特定を試行してもよい。これは、ネットワークノードがアクション４０１に従ってＲＡＮコンテキスト情報を記憶している、ネットワークノード１１０、１０１又はワイヤレス通信ネットワーク１００内のアクセス可能なコアネットワークノード若しくはサイトにおける利用可能なメモリ内で実行されてもよい。ワイヤレスデバイス１２１についてのＲＡＮコンテキスト情報が、ワイヤレスデバイス１２１によって指示されたＲＡＮコンテキスト情報に基づいて発見される場合、ネットワークノード１１０、１０１は、ワイヤレスデバイス１２１について記憶されたＲＡＮコンテキスト情報が、ワイヤレスデバイス１２１のために再利用され得るかどうかを判定し得る。いくつかの実施形態では、ネットワークノード１１０、１０１は、記憶されたＲＡＮコンテキスト情報が、ワイヤレスデバイス１２１から指示されたＲＡＮコンテキスト情報と同一であるか、又は一致することを検証すると、ワイヤレスデバイス１２１についての記憶されたＲＡＮコンテキスト情報がワイヤレスデバイス１２１のために再利用され得ると見なし得る。いくつかの実施形態では、ネットワークノード１１０、１０１は、時間又はイベントカウンタに基づいて、ワイヤレスデバイス１２１についての記憶されたＲＡＮコンテキスト情報がワイヤレスデバイス１２１のために使用され得ると見なしてもよい。このケースにおいて、ワイヤレスデバイス１２１についての記憶されたＲＡＮコンテキスト情報は、タイマがまだ満了していないとき、又はイベントカウンタに関連付けられる１つ以上のイベントがまだ発生していないときに、再利用可能であると見なされてもよい。
【００４７】
いくつかの実施形態では、ＲＡＮコンテキスト情報を指し示す情報は、ワイヤレスデバイス１２１のＲＡＮコンテキスト情報に関連付けられるシーケンス番号を含んでもよい。この場合、シーケンス番号は、ＲＡＮコンテキスト情報が、ワイヤレスデバイス１２１及びネットワーク１１０、１０１の双方において最新であること、並びにＲＡＮコンテキスト情報が、ワイヤレスデバイス１２１及びネットワーク１１０、１０１において同期していることを検証するために、ネットワークノード１１０、１０１によって使用されてもよい。
【００４８】
代替的に、ＲＡＮコンテキスト情報を指し示す情報は、ワイヤレスデバイス１２１のＲＡＮコンテキスト情報に基づくチェックサムを含んでもよい。シーケンス番号の場合と同様、チェックサムは、ＲＡＮコンテキスト情報が、ワイヤレスデバイス１２１及びネットワーク１１０、１０１の双方において最新であること、並びにＲＡＮコンテキスト情報が、ワイヤレスデバイス１２１及びネットワーク１１０、１０１において同期していることを検証するために、ネットワークノード１１０、１０１によって使用されてもよい。いくつかの実施形態では、チェックサムは、例えば、セル１１５のセルアイデンティティ、ワイヤレスデバイス１２１のアイデンティティなどといった追加的な情報に基づいてもよい。いくつかの実施形態では、チェックサムは、暗号チェックサムであってもよい。暗号チェックサムは、ワイヤレスデバイス１２１及びネットワークノード１１０、１０１において使用される鍵に基づいてもよい。これは、有利なことに、別のワイヤレスデバイス又はユーザが、ワイヤレスデバイス１２１の古い接続を「乗っ取る」か、又は引き継ぐことを困難にし得る。
【００４９】
さらに、いくつかの実施形態では、ワイヤレスデバイス１２１についてのＲＡＮコンテキスト情報を記憶する際に、ネットワークノード１１０、１０１は、古い暗号化鍵及び／又は完全性保証鍵を再利用してもよい。これは、例えば、ワイヤレスデバイス１２１が、これらの古い暗号化鍵及び／又は完全性保証鍵を、ＲＡＮコンテキスト情報を指し示す情報として使用し得ることを意味する。代替的に、暗号化及び／又は完全性保証のために使用される潜在的に古いシーケンス番号が、使用されてもよい。一旦、ネットワークノード１１０、１０１が最新の暗号化鍵及び／又は完全性保証鍵を取得したら、ネットワークノード１１０、１０１は、ワイヤレスデバイス１２１に、取得された最新の暗号化鍵及び／又は完全性保証鍵に従って、新たな暗号化鍵及び／又は完全性保証鍵へ切り替えるように命令してもよい。
【００５０】
＜アクション４０４＞
任意選択で、指し示されたＲＡＮコンテキスト情報をワイヤレスデバイス１２１がセル１１５において使用すべきであることを指し示す情報を、アクション４０３において送信した後、ネットワークノード１１０、１０１は、記憶されたＲＡＮコンテキスト情報を使用してデータ送信をワイヤレスデバイス１２１に対して実行してもよい。これは、ネットワークノード１１０、１０１が、例えばデータをワイヤレスデバイス１２１へ送信する前に、ワイヤレスデバイス１２１についての新たなＲＡＮコンテキスト情報を再確立しなくてもよいことを意味する。
【００５１】
一方、いくつかの実施形態では、ネットワークノード１１０、１０１は、記憶されたＲＡＮコンテキスト情報がまだ有効であることを検証する前に、ユーザプレーンデータの送信を開始するように構成されてもよいことにも留意すべきである。これは、ワイヤレスデバイス１２１が、例えば図１に示されるＰＤＮゲートウェイなどのワイヤレス通信ネットワーク１００において、ＲＡＮコンテキスト情報を記憶するネットワークノード１１０、１０１より高次のユーザプレーンノードにおいて終端される、ユーザプレーン暗号化及びユーザプレーン完全性保証を使用することが義務付けられる場合に、例えば、ネットワークノード１１０、１０１によって実行されてもよい。これは、ユーザプレーンが暗号化されるだけで完全性を保証されないワイヤレス通信ネットワークにおける従来のＥＰＳ／ＬＴＥ構成とは異なっており、それはワイヤレスデバイス１２１及びネットワークノード１１０の間のみである。これは、有利なことに、記憶されたＲＡＮコンテキスト情報が有効であることを検証し、それがセル１１５を介してワイヤレス通信ネットワークにアクセスしている正しいワイヤレスデバイス、即ち、ワイヤレスデバイス１２１であると確認する前であっても、ネットワークノード１１０、１０１が、記憶されたＲＡＮコンテキスト情報の使用を開始すること、及び高次ユーザプレーンノードに向けたユーザプレーンデータの転送を開始することを可能にし得る。間違ったワイヤレスデバイス又はユーザによるいかなる試みも、パケットが高次ユーザプレーンノードにおいて破棄されることに繋がるだけであり、正しいワイヤレスデバイス１２１のみが、高次ユーザプレーンノードによって検証され得るやり方で完全性保証及び暗号化を正しく実行することが可能であるため、後者は可能である。
【００５２】
ワイヤレス通信ネットワーク１００内のネットワークノード１１０、１０１によりサービスされるセル１１５においてＲＡＮコンテキスト情報を扱うための、ワイヤレスデバイス１２１によって実行される方法の実施形態の例が、図５に表されるフローチャートを参照してここで説明される。図５は、ワイヤレスデバイス１２１によって行われ得るアクション又は動作の例を示している。方法は、以下のアクションを含み得る。
【００５３】
＜アクション５０１＞
第１のワイヤレスデバイス１２１が、セル１１５においてもはや接続済み状態にない場合に、ワイヤレスデバイス１２１のＲＡＮコンテキスト情報を記憶する。これは、この情報を破棄する代わりに、ワイヤレスデバイス１２１が、セル１１５に復帰する場合に備えてこの情報を保存し又はキャッシュし得ることを意味する。
【００５４】
＜アクション５０２＞
ワイヤレスデバイス１２１は、セル１１５において接続済み状態へ復帰する場合に、記憶されたＲＡＮコンテキスト情報を指し示す情報をネットワークノード１１０、１０１へ送信する。これは、ワイヤレスデバイス１２１がセル１１５内に存在した最後の時間にワイヤレスデバイス１２１のために確立された同一のＲＡＮコンテキスト情報を再利用することができるか否かをネットワークノード１１０、１０１が判定することを可能にする目的で、セル１１５に復帰後に、ワイヤレスデバイス１２１がセル１１５へサービスしているネットワークノード１１０、１０１に対しその記憶されたＲＡＮコンテキスト情報を識別し得ることを意味する。
【００５５】
＜アクション５０３＞
任意選択で、ワイヤレスデバイス１２１は、ネットワークノード１１０、１０１から、ワイヤレスデバイス１２１が記憶されたＲＡＮコンテキスト情報を使用すべきであることを指し示す情報を受信してもよい。これは、ネットワークノード１１０、１０１が、ワイヤレスデバイス１２１内に記憶され、アクション５０２においてネットワークノード１１０、１０１に対し指し示されるＲＡＮコンテキスト情報が、ネットワークノード１１０、１０１にとって利用可能なワイヤレスデバイス１２１についてのＲＡＮコンテキスト情報と共に再利用され得ることを検証したことを意味する。
【００５６】
＜アクション５０３＞
アクション５０３における情報の受信に応答して、ワイヤレスデバイス１２１は、記憶されたＲＡＮコンテキスト情報を使用してネットワークノード１１０、１０１へのデータ送信を実行してもよい。これは、例えば、ワイヤレスデバイス１２１が、セル１１５において送信するデータを有する場合に、ネットワークノード１１０、１０１が、ワイヤレスデバイス１２１についての新たなＲＡＮコンテキスト情報を再確立しなくてもよいことを意味する。
【００５７】
図４〜図５に表されるフローチャートを参照して上で説明した方法の実施形態のより詳細な例が、図６及び図７に表されるシグナリング図を参照してここで説明される。
【００５８】
アクション６０１  ワイヤレスデバイス１２１は、ネットワークノード１１０へ接続され、セル１１５内でデータの送信／受信を行っている。
【００５９】
アクション６０２  ワイヤレスデバイス１２１のＲＡＮコンテキスト情報の解放要求／応答が、ネットワークノード１１０からコアネットワークノード１０１へ／コアネットワークノード１０１からネットワークノード１１０へ送信される。解放要求／応答は、ＲＡＮコンテキスト情報のＳ１関連コンテキスト情報を記憶するための情報を含んでもよい。
【００６０】
アクション６０３  ワイヤレスデバイス１２１は、ネットワークノード１１０によって非アクティブ状態、例えば、アイドル状態へ解放される。任意選択で、これは、その現在のＲＡＮコンテキスト情報を記憶するための命令を含んでもよい。
【００６１】
アクション６０４  ネットワークノード１１０が、セル１１５内のワイヤレスデバイス１２１のＲＡＮコンテキスト情報を記憶する。
【００６２】
アクション６０５  ワイヤレスデバイス１２１が、セル１１５のそのＲＡＮコンテキスト情報を記憶する。
【００６３】
アクション６０６  ワイヤレスデバイス１２１は、セル１１５に復帰し、セル１１５にサービスしているネットワークノード１１０において、アクティブ状態、例えば、ＲＲＣ＿ＣＯＮＮＥＣＴＥＤ状態といった接続済み状態に入るためのメッセージを送信する。メッセージは、ワイヤレスデバイス１２１の識別子、オプションのＲＡＮコンテキスト情報バージョン識別などといった、セル１１５のためにワイヤレスデバイス１２１内に記憶されたＲＡＮコンテキスト情報を指し示す情報を含む。
【００６４】
アクション６０７  ネットワークノード１１０は、セル１１５においてワイヤレスデバイス１２１について記憶されたそのＲＡＮコンテキスト情報を、例えば内部ストレージ又は外部ストレージから読み出し、又は取得する。
【００６５】
アクション６０８  ネットワークノード１１０によって記憶されたワイヤレスデバイス１２１のＲＡＮコンテキスト情報が、最新であり、再利用され得る場合、ネットワークノード１１０は、アクション６０９を進め、アクション６１２が後に続く。一方、ネットワークノード１１０によって記憶されたワイヤレスデバイス１２１のＲＡＮコンテキスト情報が、最新ではなく、再利用され得ない場合、ネットワークノード１１０は、アクション６１０〜６１１を進め、アクション６１２が後に続く。
【００６６】
アクション６０９  ネットワークノード１１０は、命令をワイヤレスデバイス１２１へ送信して、その記憶されたＲＡＮコンテキスト情報を使用してデータ送信を再開する。
【００６７】
アクション６１０  ネットワークノード１１０が、ワイヤレスデバイス１２１についての新たなＲＡＮコンテキスト情報をコアネットワークノード１０１から読み出し、又は取得する。
【００６８】
アクション６１１  ネットワークノード１１０及びワイヤレスデバイス１２１は、シグナリングを実行してセル１１５内のワイヤレスデバイス１２１についての新たなＲＡＮコンテキスト情報をセットアップする。
【００６９】
アクション６１２  ワイヤレスデバイス１２１は、ネットワークノード１１０へ接続され、セル１１５内でデータの送信／受信を行っている。
【００７０】
アクション７０１  ワイヤレスデバイス１２１は、ネットワークノード１１０へ接続され、セル１１５内でデータの送信／受信を行っている。
【００７１】
アクション７０２  ワイヤレスデバイス１２１のハンドオーバが、ネットワークノード１１０のセル１１５からネットワークノード１１１のセル１１６に対して行われる。
【００７２】
アクション７０３  ワイヤレスデバイス１２１は、ネットワークノード１１１へ接続され、セル１１６内でデータの送信／受信を行っている。
【００７３】
アクション７０４  ネットワークノード１１０が、セル１１５内のワイヤレスデバイス１２１のＲＡＮコンテキスト情報を記憶する。
【００７４】
アクション７０５  ワイヤレスデバイス１２１が、セル１１５のそのＲＡＮコンテキスト情報を記憶する。
【００７５】
アクション７０６  ワイヤレスデバイス１２１が、ネットワークノード１１１によって非アクティブ状態、例えば、アイドル状態へ解放される。
【００７６】
アクション７０７  ネットワークノード１１１が、セル１１６内のワイヤレスデバイス１２１のそのＲＡＮコンテキスト情報を記憶する。
【００７７】
アクション７０８  ワイヤレスデバイス１２１が、セル１１６のそのＲＡＮコンテキスト情報を記憶する。
【００７８】
アクション７０９  ワイヤレスデバイス１２１は、セル１１５に復帰し、セル１１５にサービスしているネットワークノード１１０において、アクティブ状態、例えば、ＲＲＣ＿ＣＯＮＮＥＣＴＥＤ状態といった接続済み状態に入るためのメッセージを送信する。メッセージは、ワイヤレスデバイス１２１の識別子、オプションのＲＡＮコンテキスト情報バージョン識別などといった、セル１１５のためにワイヤレスデバイス１２１内に記憶されたＲＡＮコンテキスト情報を指し示す情報を含む。
【００７９】
アクション７１０  ネットワークノード１１０は、セル１１５においてワイヤレスデバイス１２１について記憶されたそのＲＡＮコンテキスト情報を、例えば内部ストレージ又は外部ストレージから読み出し、又は取得する。
【００８０】
アクション７１１  ネットワークノード１１０によって記憶されたワイヤレスデバイス１２１のＲＡＮコンテキスト情報が、最新であり、再利用され得る場合、ネットワークノード１１０は、アクション７１２を進め、アクション７１５が後に続く。一方、ネットワークノード１１０によって記憶されたワイヤレスデバイス１２１のＲＡＮコンテキスト情報が、最新ではなく、再利用されない可能性がある場合、ネットワークノード１１０は、アクション７１３〜７１４を進め、アクション７１５が後に続く。
【００８１】
アクション７１２  ネットワークノード１１０は、命令をワイヤレスデバイス１２１へ送信して、その記憶されたＲＡＮコンテキスト情報を使用してデータ送信を再開する。
【００８２】
アクション７１３  ネットワークノード１１０が、ワイヤレスデバイス１２１についての新たなＲＡＮコンテキスト情報をコアネットワークノード１０１から読み出し、又は取得する。
【００８３】
アクション７１４  ネットワークノード１１０及びワイヤレスデバイス１２１は、シグナリングを実行してセル１１５内のワイヤレスデバイス１２１についての新たなＲＡＮコンテキスト情報をセットアップする。
【００８４】
アクション７１５  ワイヤレスデバイス１２１は、ネットワークノード１１０へ接続され、セル１１５内でデータの送信／受信を行っている。
【００８５】
ワイヤレス通信ネットワーク１００内のネットワークノード１１０、１０１によりサービスされるセル１１５内のワイヤレスデバイス１２１のＲＡＮコンテキスト情報を扱うための、方法のアクションを実行するために、ネットワークノード１１０、１０１は、図８に表される以下の構成を含み得る。
【００８６】
図８は、ネットワークノード１１０、１０１の実施形態の概略ブロック図を示す。いくつかの実施形態では、ネットワークノード１１０、１０１は、送信モジュール８０１、受信モジュール８０２、及びプロセッサ８１０を含み得る。送信モジュール８０１は、ここでは送信機又は送信ユニットとも呼ばれ、ワイヤレス通信ネットワーク１００において信号をワイヤレスデバイス１２１へ送信するために使用され得る。受信モジュール８０２は、ここでは受信機又は受信ユニットとも呼ばれ、ワイヤレス通信ネットワーク１００において信号をワイヤレスデバイス１２１から受信するために使用され得る。送信モジュール８０１及び受信モジュール８０２は、送受信モジュール又は送受信機へと組み合わせられてもよい。プロセッサ８１０は、ここでは処理モジュール、処理ユニット又は処理回路とも呼ばれ、ネットワークノード１１０、１０１の動作を制御し得る。プロセッサ８１０は、また、送信機８０１及び受信機８０２を制御してもよい。任意選択で、プロセッサ８１０は、送信機８０１及び受信機８０２のうちの１つ以上を含んでもよく、並びに／又はそれらの機能を実行してもよい。
【００８７】
ネットワークノード１１０、１０１は、ワイヤレスデバイス１２１がセル１１５においてもはや接続済み状態にない場合に、ワイヤレスデバイス１２１のＲＡＮコンテキスト情報を記憶し、ワイヤレスデバイス１２１がセル１１５において接続済み状態へ復帰した場合に、ワイヤレスデバイス１２１からＲＡＮコンテキスト情報を指し示す情報を受信し、指し示されたＲＡＮコンテキスト情報が、ネットワークノード１１０、１０１により過去に記憶されたワイヤレスデバイス１２１のＲＡＮコンテキスト情報と共に再利用されることができるものである場合に、指し示されたＲＡＮコンテキスト情報をワイヤレスデバイス１２１がセル１１５において使用すべきであることを指し示す情報を、ワイヤレスデバイス１２１へ送信する、ように構成される。
【００８８】
いくつかの実施形態では、ネットワークノード１１０、１０１は、プロセッサ８１０が、ワイヤレスデバイス１２１をセル１１５において接続済み状態からアイドル状態へ解放し、又は、ワイヤレス通信ネットワーク１００内の他のセル１１６への、ワイヤレスデバイス１２１のハンドオーバを実行し、又は、ワイヤレス通信ネットワーク１００内の他のセル１１６においてサービスされるようにワイヤレスデバイス１２１を解放し、又は、ワイヤレスデバイス１２１に関連付けられる無線リンク障害を検出する場合に、ワイヤレスデバイス１２１がセル１１５においてもはや接続済み状態にないと判定する、ようにさらに構成されてもよい。
【００８９】
いくつかの実施形態では、ネットワークノード１１０、１０１は、プロセッサ８１０が、ワイヤレスデバイス１２１がセル１１５においてアイドル状態から接続済み状態へ移動したことを検出し、又は、ワイヤレス通信ネットワーク１００内の他のセル１１６からのハンドオーバでセル１１５においてワイヤレスデバイス１２１を受け付け、又は、ワイヤレスデバイス１２１の無線リソース構成（ＲＲＣ）接続再確立の一部としてセル１１５においてワイヤレスデバイス１２１を受け付ける場合に、ワイヤレスデバイス１２１がセル１１５において接続済み状態へ復帰したと判定する、ようにさらに構成されてもよい。
【００９０】
いくつかの実施形態では、ＲＡＮコンテキスト情報は、ワイヤレスデバイス１２１のＲＲＣプロトコル情報を含み、並びに／又は、ワイヤレス通信ネットワーク１００においてワイヤレスデバイス１２１について使用される１つ以上の識別子、ＲＲＣプロトコルレイヤよりも下位レイヤにおける通信プロトコル用のワイヤレスデバイス１２１の構成パラメータ、ワイヤレスデバイス１２１の無線アクセスケイパビリティ情報、ワイヤレスデバイス１２１の１つ以上の進行中の無線ベアラに関する情報、及びワイヤレスデバイス１２１に関連付けられる１つ以上のセキュリティ鍵及び／若しくはシーケンス番号、のうちの１つ以上を含む。いくつかの実施形態では、ワイヤレスデバイス１２１からのＲＡＮコンテキスト情報を指し示す情報は、ワイヤレスデバイス１２１のＲＡＮコンテキスト情報に関連付けられるシーケンス番号、又はワイヤレスデバイス１２１のＲＡＮコンテキスト情報に基づくチェックサム、のうちの１つ以上を含む。
【００９１】
いくつかの実施形態では、ネットワークノード１１０、１０１は、記憶されたＲＡＮコンテキスト情報を使用してワイヤレスデバイス１２１へのデータ送信を実行するように構成されてもよい。
【００９２】
ワイヤレス通信ネットワーク１００内のネットワークノード１１０、１０１によりサービスされるセル１１５内のワイヤレスデバイス１２１のＲＡＮコンテキスト情報を扱うための実施形態は、ここでの実施形態の機能及びアクションを実行するためのコンピュータプログラムコードと共に、例えば図８に表されるネットワークノード１１０、１０１内のプロセッサ８１０などの１つ以上のプロセッサを通じて、実装されてもよい。上述したコンピュータプログラムコードは、また、ネットワークノード１１０、１０１内のプロセッサ８１０にロードされた場合に例えばここでの実施形態を実行するためのコンピュータプログラムコード又はコード手段、を担持するデータ担体の形態で、コンピュータプログラムプロダクトとしても提供されてもよい。コンピュータプログラムコードは、ネットワークノード１１０、１０１内の、又はサーバ上にあってネットワークノード１１０、１０１へダウンロードされる純粋なプログラムコードとして提供されてもよい。担体は、電子信号、光信号、無線信号、又は例えばＲＡＭ、ＲＯＭ、フラッシュメモリ、磁気テープ、ＣＤ−ＲＯＭ、ＤＶＤ若しくはＢｌｕｅｒａｙディスクなどの電子メモリといったコンピュータ読取可能な記憶媒体、のうちの１つであってもよい。
【００９３】
ネットワークノード１１０、１０１は、メモリ８２０をさらに含んでよく、メモリ８２０は、１つ以上のメモリモジュール又はユニットと呼ばれてもよく又はそれらを含んでもよい。メモリ８２０は、ネットワークノード１１０、１０１のプロセッサ８１０において又はプロセッサ８１０によって実行される場合にここで説明された方法を実行するための実行可能な命令及びデータ、を記憶するために使用されるように構成されてもよい。上述のプロセッサ８１０及びメモリ８２０は、アナログ及びデジタル回路の組み合わせ、並びに／又は、例えば、プロセッサ８１０などの１つ以上のプロセッサによる実行時に、１つ以上のプロセッサに上述した方法を実行させる、メモリ８２０に記憶されたソフトウェア及び／若しくはファームウェアで構成された１つ以上のプロセッサへの言及であってもよいことを、当業者であれば、理解するであろう。プロセッサ８１０及びメモリ８２０は、処理手段とも呼ばれ得る。これらのプロセッサのうちの１つ以上及び他のデジタルハードウェアは、単一の特定用途向け集積回路（ＡＳＩＣ）に含まれてもよく、又は複数のプロセッサ及び多様なデジタルハードウェアが、個別にパッケージ化されたものであれ、又は１つのシステムオンチップ（ＳｏＣ）に集められたものであれ、複数の別々のコンポーネント間に分散されてもよい。
【００９４】
上記から、いくつかの実施形態が、少なくとも１つのプロセッサ、例えばプロセッサ８１０上で実行される場合に、当該少なくとも１つのプロセッサに、ワイヤレス通信ネットワーク１００内のネットワークノード１１０、１０１によりサービスされるセル１１５内のワイヤレスデバイス１２１のＲＡＮコンテキスト情報を扱うための方法を遂行させる命令、を含む、コンピュータプログラムプロダクトを含み得ることが分かる。また、いくつかの実施形態は、上記コンピュータプログラムプロダクトを含む担体をさらに含んでもよく、担体は、電子信号、光信号、無線信号、又はコンピュータ読取可能な記憶媒体のうちの１つである。
【００９５】
ワイヤレス通信ネットワーク１００内のネットワークノード１１０、１０１によりサービスされるセル１１５においてＲＡＮコンテキスト情報を扱うための方法のアクションを実行するために、ワイヤレスデバイス１２１は、図９に表される以下の構成を含み得る。
【００９６】
図９は、ワイヤレスデバイス１２１の実施形態の概略ブロック図を示す。いくつかの実施形態では、ワイヤレスデバイス１２１は、送信モジュール９０１、受信モジュール９０２、及びプロセッサ９１０を含み得る。送信モジュール９０１は、ここでは送信機又は送信ユニットとも呼ばれ、ワイヤレス通信ネットワーク１００において信号をネットワークノード１１０、１０１へ送信するために使用され得る。受信モジュール９０２は、ここでは受信機又は受信ユニットとも呼ばれ、ワイヤレス通信ネットワーク１００において信号をネットワークノード１１０、１０１から受信するために使用され得る。送信モジュール９０１及び受信モジュール９０２は、送受信モジュール又は送受信機へと組み合わせられてもよい。プロセッサ９１０は、ここでは処理モジュール、処理ユニット又は処理回路とも呼ばれ、ワイヤレスデバイス１２１の動作を制御し得る。プロセッサ９１０は、また、送信機９０１及び受信機９０２を制御してもよい。任意選択で、プロセッサ９１０は、送信機９０１及び受信機９０２のうちの１つ以上を含んでもよく、並びに／又はそれらの機能を実行してもよい。
【００９７】
ワイヤレスデバイス１２１は、セル１１５においてもはや接続済み状態にない場合に、ワイヤレスデバイス１２１のＲＡＮコンテキスト情報を記憶し、ワイヤレスデバイス１２１がセル１１５において接続済み状態へ復帰する場合に、記憶されたＲＡＮコンテキスト情報を指し示す情報をネットワークノード１１０、１０１へ送信する、ように構成される。
【００９８】
いくつかの実施形態では、ワイヤレスデバイス１２１は、ネットワークノード１１０、１０１から、ワイヤレスデバイス１２１が記憶されたＲＡＮコンテキスト情報を使用すべきであることを指し示す情報を受信するように構成されてもよい。いくつかの実施形態では、ワイヤレスデバイス１２１は、記憶されたＲＡＮコンテキスト情報を使用してネットワークノード１１０、１０１へのデータ送信を実行するように構成されてもよい。
【００９９】
ワイヤレス通信ネットワーク１００内のネットワークノード１１０、１０１によりサービスされるセル１１５においてＲＡＮコンテキスト情報を扱うための実施形態は、ここでの実施形態の機能及びアクションを実行するためのコンピュータプログラムコードと共に、例えば図９に表されるワイヤレスデバイス１２１内のプロセッサ９１０などの１つ以上のプロセッサを通じて、実装されてもよい。上述したコンピュータプログラムコードは、また、ワイヤレスデバイス１２１内のプロセッサ９１０にロードされた場合に例えばここでの実施形態を実行するためのコンピュータプログラムコード又はコード手段、を担持するデータ担体の形態で、コンピュータプログラムプロダクトとしても提供されてもよい。コンピュータプログラムコードは、ワイヤレスデバイス１２１内の、又はサーバ上にあってワイヤレスデバイス１２１へダウンロードされる純粋なプログラムコードとして提供されてもよい。担体は、電子信号、光信号、無線信号、又は例えばＲＡＭ、ＲＯＭ、フラッシュメモリ、磁気テープ、ＣＤ−ＲＯＭ、ＤＶＤ若しくはＢｌｕｅｒａｙディスクなどの電子メモリといったコンピュータ読取可能な記憶媒体、のうちの１つであってもよい。
【０１００】
ワイヤレスデバイス１２１は、メモリ９２０をさらに含んでよく、メモリ９２０は、１つ以上のメモリモジュール又はユニットと呼ばれてもよく又はそれらを含んでもよい。メモリ９２０は、ワイヤレスデバイス１２１のプロセッサ９１０において又はプロセッサ９１０によって実行される場合にここで説明された方法を実行するための実行可能な命令及びデータ、を記憶するために使用されるように構成されてもよい。上述のプロセッサ９１０及びメモリ９２０は、アナログ及びデジタル回路の組み合わせ、並びに／又は、例えば、プロセッサ９１０などの１つ以上のプロセッサによる実行時に、１つ以上のプロセッサに上述した方法を実行させる、メモリ９２０に記憶されたソフトウェア及び／若しくはファームウェアで構成された１つ以上のプロセッサへの言及であってもよいことを、当業者であれば、理解するであろう。プロセッサ９１０及びメモリ９２０は、処理手段とも呼ばれ得る。これらのプロセッサのうちの１つ以上及び他のデジタルハードウェアは、単一の特定用途向け集積回路（ＡＳＩＣ）に含まれてもよく、又は複数のプロセッサ及び多様なデジタルハードウェアが、個別にパッケージ化されたものであれ、又は１つのシステムオンチップ（ＳｏＣ）に集められたものであれ、複数の別々のコンポーネント間に分散されてもよい。
【０１０１】
上記から、いくつかの実施形態が、少なくとも１つのプロセッサ、例えばプロセッサ９１０上で実行される場合に、当該少なくとも１つのプロセッサに、ワイヤレス通信ネットワーク１００内のネットワークノード１１０、１０１によりサービスされるセル１１５においてＲＡＮコンテキスト情報を扱うための方法を遂行させる命令、を含む、コンピュータプログラムプロダクトを含み得ることが分かる。また、いくつかの実施形態は、上記コンピュータプログラムプロダクトを含む担体をさらに含んでもよく、担体は、電子信号、光信号、無線信号、又はコンピュータ読取可能な記憶媒体のうちの１つである。
【０１０２】
さらに、多様な例示的実施形態が、以下のステートメントにおいて提示される。
【０１０３】
［１］ワイヤレス通信ネットワーク（１００）内のネットワークノード（１１０，１０１）によりサービスされるセル（１１５）内のワイヤレスデバイス（１２１）の無線アクセスネットワーク（ＲＡＮ）コンテキスト情報を扱うための、前記ネットワークノード（１１０，１０１）により実行される方法であって、
前記ワイヤレスデバイス（１２１）が前記セル（１１５）においてもはや接続済み状態にない場合に、前記ワイヤレスデバイス（１２１）の前記ＲＡＮコンテキスト情報を記憶すること（４０１）と、
前記ワイヤレスデバイス（１２１）が前記セル（１１５）において接続済み状態へ復帰した場合に、前記ワイヤレスデバイス（１２１）からＲＡＮコンテキスト情報を指し示す情報を受信すること（４０２）と、
指し示された前記ＲＡＮコンテキスト情報が、前記ネットワークノード（１１０，１０１）により過去に記憶された前記ワイヤレスデバイス（１２１）の前記ＲＡＮコンテキスト情報と共に再利用されることができるものである場合に、指し示された前記ＲＡＮコンテキスト情報を前記ワイヤレスデバイス（１２１）が前記セル（１１５）において使用すべきであることを指し示す情報を、前記ワイヤレスデバイス（１２１）へ送信すること（４０３）と、
を含む方法。
【０１０４】
［２］前記ネットワークノード（１１０，１０１）が
前記ワイヤレスデバイス（１２１）を前記セル（１１５）において前記接続済み状態からアイドル状態へ解放し、又は、
前記ワイヤレス通信ネットワーク（１００）内の他のセル（１１６）への、前記ワイヤレスデバイス（１２１）のハンドオーバを実行し、又は、
前記ワイヤレス通信ネットワーク（１００）内の他のセル（１１６）においてサービスされるように前記ワイヤレスデバイス（１２１）を解放し、又は、
前記ワイヤレスデバイス（１２１）に関連付けられる無線リンク障害を検出する、
場合に、前記ワイヤレスデバイス（１２１）が前記セル（１１５）においてもはや接続済み状態にないと判定すること、をさらに含む、ステートメント［１］に記載の方法。
【０１０５】
［３］前記ネットワークノード（１１０，１０１）が
前記ワイヤレスデバイス（１２１）が前記セル（１１５）においてアイドル状態から接続済み状態へ移動したことを検出し、又は、
前記ワイヤレス通信ネットワーク（１００）内の他のセル（１１６）からのハンドオーバで前記セル（１１５）において前記ワイヤレスデバイス（１２１）を受け付け、又は、
前記ワイヤレスデバイス（１２１）の無線リソース構成（ＲＲＣ）接続再確立の一部として前記セル（１１５）において前記ワイヤレスデバイス（１２１）を受け付ける、
場合に、前記ワイヤレスデバイス（１２１）が前記セル（１１５）において接続済み状態へ復帰したと判定すること、をさらに含む、ステートメント［１］又は［２］に記載の方法。
【０１０６】
［４］前記ＲＡＮコンテキスト情報は、前記ワイヤレスデバイス（１２１）のＲＲＣプロトコル情報を含み、並びに／又は
前記ワイヤレス通信ネットワーク（１００）において前記ワイヤレスデバイス（１２１）について使用される１つ以上の識別子、
前記ＲＲＣプロトコルレイヤよりも下位レイヤにおける通信プロトコル用の前記ワイヤレスデバイス（１２１）の構成パラメータ、
前記ワイヤレスデバイス（１２１）の無線アクセスケイパビリティ情報、
前記ワイヤレスデバイス（１２１）の１つ以上の進行中の無線ベアラに関する情報、及び、
前記ワイヤレスデバイス（１２１）に関連付けられる１つ以上のセキュリティ鍵及び／若しくはシーケンス番号
のうちの１つ以上を含む、ステートメント［１］〜［３］のいずれか１つに記載の方法。
【０１０７】
［５］ＲＡＮコンテキスト情報を指し示す前記情報は、前記ワイヤレスデバイス（１２１）の前記ＲＡＮコンテキスト情報に関連付けられるシーケンス番号、又は前記ワイヤレスデバイス（１２１）の前記ＲＡＮコンテキスト情報に基づくチェックサム、のうちの１つ以上を含む、ステートメント［１］〜［４］のいずれか１つに記載の方法。
【０１０８】
［６］記憶された前記ＲＡＮコンテキスト情報を用いて前記ワイヤレスデバイス（１２１）へのデータ送信を実行すること（４０４）、をさらに含む、ステートメント［１］〜［５］のいずれか１つに記載の方法。
【０１０９】
［７］ワイヤレス通信ネットワーク（１００）内のネットワークノード（１１０，１０１）によりサービスされるセル（１１５）内のワイヤレスデバイス（１２１）の無線アクセスネットワーク（ＲＡＮ）コンテキスト情報を扱うための、前記ネットワークノード（１１０，１０１）であって、
前記ワイヤレスデバイス（１２１）が前記セル（１１５）においてもはや接続済み状態にない場合に、前記ワイヤレスデバイス（１２１）の前記ＲＡＮコンテキスト情報を記憶し、前記ワイヤレスデバイス（１２１）が前記セル（１１５）において接続済み状態へ復帰した場合に、前記ワイヤレスデバイス（１２１）からＲＡＮコンテキスト情報を指し示す情報を受信し、指し示された前記ＲＡＮコンテキスト情報が、前記ネットワークノード（１１０，１０１）により過去に記憶された前記ワイヤレスデバイス（１２１）の前記ＲＡＮコンテキスト情報と共に再利用されることができるものである場合に、指し示された前記ＲＡＮコンテキスト情報を前記ワイヤレスデバイス（１２１）が前記セル（１１５）において使用すべきであることを指し示す情報を、前記ワイヤレスデバイス（１２１）へ送信する、ように構成される、ネットワークノード（１１０，１０１）。
【０１１０】
［８］前記ネットワークノード（１１０，１０１）が、
前記ワイヤレスデバイス（１２１）を前記セル（１１５）において前記接続済み状態からアイドル状態へ解放し、又は、
前記ワイヤレス通信ネットワーク（１００）内の他のセル（１１６）への、前記ワイヤレスデバイス（１２１）のハンドオーバを実行し、又は、
前記ワイヤレス通信ネットワーク（１００）内の他のセル（１１６）においてサービスされるように前記ワイヤレスデバイス（１２１）を解放し、又は、
前記ワイヤレスデバイス（１２１）に関連付けられる無線リンク障害を検出する、
場合に、前記ワイヤレスデバイス（１２１）が前記セル（１１５）においてもはや接続済み状態にないと判定する、ようにさらに構成される、ステートメント［７］に記載のネットワークノード（１１０，１０１）。
【０１１１】
［９］前記ネットワークノード（１１０，１０１）が、
前記ワイヤレスデバイス（１２１）が前記セル（１１５）においてアイドル状態から接続済み状態へ移動したことを検出し、又は、
前記ワイヤレス通信ネットワーク（１００）内の他のセル（１１６）からのハンドオーバで前記セル（１１５）において前記ワイヤレスデバイス（１２１）を受け付け、又は、
前記ワイヤレスデバイス（１２１）の無線リソース構成（ＲＲＣ）接続再確立の一部として前記セル（１１５）において前記ワイヤレスデバイス（１２１）を受け付ける、
場合に、前記ワイヤレスデバイス（１２１）が前記セル（１１５）において接続済み状態へ復帰したと判定する、ようにさらに構成される、ステートメント［７］又は［８］に記載のネットワークノード（１１０，１０１）。
【０１１２】
［１０］前記ＲＡＮコンテキスト情報は、前記ワイヤレスデバイス（１２１）のＲＲＣプロトコル情報を含み、並びに／又は
前記ワイヤレス通信ネットワーク（１００）において前記ワイヤレスデバイス（１２１）について使用される１つ以上の識別子、
前記ＲＲＣプロトコルレイヤよりも下位レイヤにおける通信プロトコル用の前記ワイヤレスデバイス（１２１）の構成パラメータ、
前記ワイヤレスデバイス（１２１）の無線アクセスケイパビリティ情報、
前記ワイヤレスデバイス（１２１）の１つ以上の進行中の無線ベアラに関する情報、及び、
前記ワイヤレスデバイス（１２１）に関連付けられる１つ以上のセキュリティ鍵及び／若しくはシーケンス番号
のうちの１つ以上を含む、ステートメント［７］〜［９］のいずれか１つに記載のネットワークノード（１１０，１０１）。
【０１１３】
［１１］ＲＡＮコンテキスト情報を指し示す前記情報は、前記ワイヤレスデバイス（１２１）の前記ＲＡＮコンテキスト情報に関連付けられるシーケンス番号、又は前記ワイヤレスデバイス（１２１）の前記ＲＡＮコンテキスト情報に基づくチェックサム、のうちの１つ以上を含む、ステートメント［７］〜［１０］のいずれか１つに記載のネットワークノード（１１０，１０１）。
【０１１４】
［１２］記憶された前記ＲＡＮコンテキスト情報を用いて前記ワイヤレスデバイス（１２１）へのデータ送信を実行する、ようにさらに構成される、ステートメント［７］〜［１１］のいずれか１つに記載のネットワークノード（１１０，１０１）。
【０１１５】
［１３］プロセッサ（８１０）及びメモリ（８２０）をさらに備え、前記メモリ（８２０）は前記プロセッサ（８１０）によって実行可能な命令を含む、ステートメント［７］〜［１２］のいずれか１つに記載のネットワークノード（１１０，１０１）。
【０１１６】
［１４］ワイヤレス通信ネットワーク（１００）内のネットワークノード（１１０，１０１）によりサービスされるセル（１１５）において無線アクセスネットワーク（ＲＡＮ）コンテキスト情報を扱うための、ワイヤレスデバイス（１１０，１０１）により実行される方法であって、
前記セル（１１５）においてもはや接続済み状態にない場合に、前記ワイヤレスデバイス（１２１）の前記ＲＡＮコンテキスト情報を記憶すること（５０１）と、
前記ワイヤレスデバイス（１２１）が前記セル（１１５）において接続済み状態へ復帰する場合に、記憶された前記ＲＡＮコンテキスト情報を指し示す情報を前記ネットワークノード（１１０，１０１）へ送信すること（５０２）と、
を含む方法。
【０１１７】
［１５］前記ネットワークノード（１１０，１０１）から、前記ワイヤレスデバイス（１２１）が記憶された前記ＲＡＮコンテキスト情報を使用すべきであることを指し示す情報を受信すること（５０３）、
をさらに含む、ステートメント［１４］に記載の方法。
【０１１８】
［１６］記憶された前記ＲＡＮコンテキスト情報を用いて前記ネットワークノード（１１０，１０１）へのデータ送信を実行すること（５０４）、
をさらに含む、ステートメント［１５］に記載の方法。
【０１１９】
［１７］ワイヤレス通信ネットワーク（１００）内のネットワークノード（１１０，１０１）によりサービスされるセル（１１５）において無線アクセスネットワーク（ＲＡＮ）コンテキスト情報を扱うための、ワイヤレスデバイス（１１０，１０１）であって、
前記セル（１１５）においてもはや接続済み状態にない場合に、前記ワイヤレスデバイス（１２１）の前記ＲＡＮコンテキスト情報を記憶し、前記ワイヤレスデバイス（１２１）が前記セル（１１５）において接続済み状態へ復帰する場合に、記憶された前記ＲＡＮコンテキスト情報を指し示す情報を前記ネットワークノード（１１０，１０１）へ送信する、ように構成される、ワイヤレスデバイス（１１０，１０１）。
【０１２０】
［１８］前記ネットワークノード（１１０，１０１）から、前記ワイヤレスデバイス（１２１）が記憶された前記ＲＡＮコンテキスト情報を使用すべきであることを指し示す情報を受信する、ようにさらに構成される、ステートメント［１７］に記載のワイヤレスデバイス（１１０，１０１）。
【０１２１】
［１９］記憶された前記ＲＡＮコンテキスト情報を使用して前記ネットワークノード（１１０，１０１）へのデータ送信を実行する、ようにさらに構成される、ステートメント［１８］に記載のワイヤレスデバイス（１１０，１０１）。
【０１２２】
［２０］プロセッサ（９１０）及びメモリ（９２０）をさらに備え、前記メモリ（９２０）は前記プロセッサ（９１０）によって実行可能な命令を含む、ステートメント［１７］〜［１９］のいずれか１つに記載のワイヤレスデバイス（１１０，１０１）。
【０１２３】
［２１］少なくとも１つのプロセッサ（８１０，９１０）上で実行される場合に、前記少なくとも１つのプロセッサ（８１０，９１０）に、ステートメント［１］〜［６］又は［１４］〜［１６］のいずれか１つに記載の方法を遂行させる命令、を含む、コンピュータプログラムプロダクト。
【０１２４】
［２２］電子信号、光信号、無線信号、又はコンピュータ読取可能な記憶媒体のうちの１つである、ステートメント［２１］に記載の前記コンピュータプログラムプロダクトを含む担体。
【０１２５】
いくつかの実施形態では、ネットワークノード１１０、１０１は、ワイヤレス通信ネットワーク１００内のネットワークノード１１０、１０１によりサービスされるセル１１５内のワイヤレスデバイス１２１のＲＡＮコンテキスト情報を扱うための、ネットワークノードであってもよく、ネットワークノード１１０、１０１は、ワイヤレスデバイス１２１がセル１１５においてもはや接続済み状態にない場合に、ワイヤレスデバイス１２１のＲＡＮコンテキスト情報を記憶するための記憶モジュール８０３と、ワイヤレスデバイスがセルにおいて接続済み状態へ復帰した場合に、ワイヤレスデバイスからＲＡＮコンテキスト情報を指し示す情報を受信するための受信モジュール８０２と、指し示されたＲＡＮコンテキスト情報が、ネットワークノード１１０、１０１により過去に記憶されたワイヤレスデバイス１２１のＲＡＮコンテキスト情報と共に再利用されることができるものである場合に、指し示されたＲＡＮコンテキスト情報をワイヤレスデバイス１２１がセル１１５において使用すべきであることを指し示す情報を、ワイヤレスデバイス１２１へ送信するための送信モジュール８０１と、を含む。
【０１２６】
いくつかの実施形態では、ネットワークノード１１０、１０１は、ワイヤレス通信ネットワーク１００内のネットワークノード１１０、１０１によりサービスされるセル１１５内のワイヤレスデバイス１２１のＲＡＮコンテキスト情報を扱うための、ネットワークノードであってもよく、ネットワークノード１１０、１０１は、受信機、プロセッサ及びメモリを含み、上記メモリは、上記プロセッサによって実行可能な命令を含み、上記ネットワークノード１１０、１０１は、ワイヤレスデバイス１２１がセル１１５においてもはや接続済み状態にない場合に、ワイヤレスデバイス１２１のＲＡＮコンテキスト情報を記憶し、ワイヤレスデバイスがセルにおいて接続済み状態へ復帰した場合に、ワイヤレスデバイスからＲＡＮコンテキスト情報を指し示す情報を受信し、指し示されたＲＡＮコンテキスト情報が、ネットワークノード１１０、１０１により過去に記憶されたワイヤレスデバイス１２１のＲＡＮコンテキスト情報と共に再利用されることができるものである場合に、指し示されたＲＡＮコンテキスト情報をワイヤレスデバイス１２１がセル１１５において使用すべきであることを指し示す情報を、ワイヤレスデバイス１２１へ送信する、ように構成される。
【０１２７】
いくつかの実施形態では、ワイヤレスデバイスは、ワイヤレス通信ネットワーク１００内のネットワークノード１１０、１０１によりサービスされるセル１１５においてＲＡＮコンテキスト情報を扱うための、ワイヤレスデバイス１２１であってもよく、ワイヤレスデバイス１２１がセル１１５においてもはや接続済み状態にない場合に、ワイヤレスデバイス１２１のＲＡＮコンテキスト情報を記憶するための記憶モジュール９０３と、ワイヤレスデバイス１２１がセル１１５において接続済み状態へ復帰する場合に、記憶されたＲＡＮコンテキスト情報を指し示す情報をネットワークノード１１０、１０１へ送信するための送信モジュール９０１と、を含む。
【０１２８】
いくつかの実施形態では、ワイヤレスデバイスは、ワイヤレス通信ネットワーク１００内のネットワークノード１１０、１０１によりサービスされるセル１１５においてＲＡＮコンテキスト情報を扱うための、ワイヤレスデバイス１２１であってもよい。ワイヤレスデバイス１２１は、受信機、プロセッサ及びメモリを含み、上記メモリは、上記プロセッサによって実行可能な命令を含み、上記ワイヤレスデバイス１２１がセル１１５においてもはや接続済み状態にない場合に、ワイヤレスデバイス１２１のＲＡＮコンテキスト情報を記憶し、ワイヤレスデバイス１２１がセル１１５において接続済み状態へ復帰する場合に、記憶されたＲＡＮコンテキスト情報を指し示す情報をネットワークノード１１０、１０１へ送信する、ように構成される。
【０１２９】
ネットワークノード１１０、１０１のモジュール及びワイヤレスデバイス１２１のモジュールは、いくつかの実施形態において、プロセッサ（例えば、それぞれ図８及び図９の処理モジュール８１０、９１０）による実行のために、メモリ（例えば、それぞれ図８及び図９のメモリモジュール８２０、９２０）に記憶されるコンピュータプログラムとして実装され得ることに留意すべきである。
【０１３０】
添付図面に示される具体的な実施形態の詳細な説明において使用されている用語は、説明されたネットワークノード１１０、１０１、ワイヤレスデバイス１２１、及びそれらの方法を限定することを意図するものではなく、代わりに別添の特許請求の範囲を考慮して解釈されるべきである。
【０１３１】
ここで使用される、“及び／又は”という用語は、関連する列挙された項目のうちの１つ以上のいずれか及び全ての組み合わせを含む。
【０１３２】
さらに、ここで使用される、ラテン語のフレーズ“exempli  gratia”から派生する共通の略称“e.g.（例えば）”は、前述した項目の一般的な１つ又は複数の例を紹介し又は特定するために使用されてよく、そのような項目を限定することを意図するものではない。ここで使用される場合に、ラテン語のフレーズ“id  est”から派生する共通の略称“i.e.（即ち）”は、より一般的な列挙から具体的な項目を特定するために使用され得る。“及びその他のもの”又は“など”を意味するラテン語表現“et  cetera”から派生する共通の略称“ｅｔｃ．（など）”は、単に列挙されているものに類似のさらなる特徴が存在することを指し示すためにここで使用され得る。
【０１３３】
ここで使用される、単数形“a”、“an”、及び“the”は、別段の明示的な記載がない限り、複数形も同様に含むように意図される。“includes（含む）”、“comprises（備える）”、“including（含んでいる）”、及び／又は“comprising（備えている）”という用語は、本明細書で使用される場合に、述べられた特徴、アクション、整数、ステップ、動作、要素、及び／又はコンポーネントの存在を明示するものであって、１つ以上の他の特徴、アクション、整数、ステップ、動作、要素、コンポーネント、及び／又はそれらの集合の存在又は追加を排除するものではないと、さらに理解されたい。
【０１３４】
別段の定義がない限り、ここで使用される技術用語及び学術用語を含む全ての用語が、説明される実施形態が属する技術分野における当業者によって通常理解されるのと同一の意味を有する。用語は、通常使用される辞書において定義されるように、関連技術の文脈におけるそれらの意味に適合する意味を有するものとして解釈されるべきであり、ここで明示的にそのように定義されない限り、理想化された、又は過度に形式的な意味に解釈されるものではないと、さらに理解されたい。
【０１３５】
ここでの実施形態は、上述された好ましい実施形態に限定するものではない。様々な代替策、修正例、及び均等物が、使用されてよい。したがって、上記実施形態は、限定として解釈されるべきではない。
【図１】
0006518345.tif 000002
【図２】
0006518345.tif 000003
【図３】
0006518345.tif 000004
【図４】
0006518345.tif 000005
【図５】
0006518345.tif 000006
【図６】
0006518345.tif 000007
【図７】
0006518345.tif 000008
【図８】
0006518345.tif 000009
【図９】
0006518345.tif 000010